(57)【要約】【課題】いかなる実装であっても通信ノード間の共存を実施できるようにすることが可能な、通信制御装置を提供する。【解決手段】複数の無線システム間の共存を制御する通信制御判断装置へ接続するための接続情報を保持する記憶装置に対して、前記接続情報の取得要求を送信する送信部と、前記記憶装置から前記接続情報を含んだ応答を取得する取得部と、前記記憶装置から受信した前記接続情報から少なくとも一つの基準によって通信制御判断装置を選択する制御部と、を備え、前記基準は、前記共存のための通信制御に必要な情報に関する、通信制御装置が提供される。【選択図】図４Ａ
2017043264.tif 000002
【特許請求の範囲】
【請求項１】
複数の無線システム間の共存を制御する通信制御判断装置へ接続するための接続情報を保持する記憶装置に対して、前記接続情報の取得要求を送信する送信部と、
前記記憶装置から前記接続情報を含んだ応答を取得する取得部と、
前記記憶装置から受信した前記接続情報から少なくとも一つの基準によって通信制御判断装置を選択する制御部と、
を備え、
前記基準は、前記共存のための通信制御に必要な情報に関する、通信制御装置。
【請求項２】
前記制御部は、前記基準として自装置と同一の共存プロファイルを具備することを条件に通信制御判断装置を選択する、請求項１に記載の通信制御装置。
【請求項３】
前記制御部は、前記基準として自装置と接続されている通信ノードが希望する共存サービスを提供することを条件に通信制御判断装置を選択する、請求項１に記載の通信制御装置。
【請求項４】
前記制御部は、選択した前記通信制御判断装置に対して接続許可要求を送信し、前記取得部は、前記通信制御判断装置から接続許可に係る応答を取得する、請求項１に記載の通信制御装置。
【請求項５】
複数の無線システム間の共存を制御する通信制御判断装置と、前記無線システムを利用する通信装置との間で情報を仲介する通信制御装置が前記通信制御判断装置に接続するための接続情報を取得する取得部と、
前記通信制御判断装置へ接続するための接続情報を保持する記憶部と、
前記通信制御装置の地理的情報及びネットワーク情報に基づいて接続が推奨される通信制御判断装置への接続情報を生成する制御部と、
を備える、記憶装置。
【請求項６】
前記通信制御装置からの前記接続情報の取得要求を受信すると、生成した接続情報を前記通信制御装置に送信する、請求項５に記載の記憶装置。
【請求項７】
前記ネットワーク情報は、前記通信制御装置と接続されている前記通信装置に通信サービスを提供する通信事業者に係る情報を含む、請求項５に記載の記憶装置。
【請求項８】
前記ネットワーク情報は、前記通信制御装置と接続されている通信ノードが具備する無線通信方式に係る情報を含む、請求項５に記載の記憶装置。
【請求項９】
前記ネットワーク情報は、前記通信制御装置が具備する共存プロファイルを含む、請求項５に記載の記憶装置。
【請求項１０】
前記取得部は、前記通信制御判断装置への前記接続情報の取得リクエストに応じて前記通信制御判断装置から送信される前記接続情報を取得する、請求項５に記載の記憶装置。
【請求項１１】
前記取得部は、複数の前記無線システムの情報を管理するサーバ装置への前記接続情報の取得リクエストに応じて前記サーバ装置から送信される前記接続情報を取得する、請求項５に記載の記憶装置。
【請求項１２】
前記接続情報は、前記通信制御判断装置のＩＰアドレスを少なくとも含む、請求項５に記載の記憶装置。
【請求項１３】
前記接続情報は、前記通信制御判断装置が具備する共存プロファイルを含む、請求項５に記載の記憶装置。
【請求項１４】
前記接続情報は、前記通信制御判断装置が提供可能な共存サービスに係る情報を含む、請求項５に記載の記憶装置。
【請求項１５】
複数の無線システム間の共存を制御する通信制御判断装置であって、
前記無線システムを利用する通信装置との間で情報を仲介する通信制御装置が前記通信制御判断装置に接続するための接続情報を、複数の前記無線システムの情報を管理するサーバ装置へ登録または更新し、記憶装置からの要求に応じて前記接続情報を前記記憶装置に提供する制御部を備える、通信制御判断装置。
【請求項１６】
前記制御部は、前記接続情報に加えて接続優先度を前記記憶装置に提供する、請求項１５に記載の通信制御判断装置。
【請求項１７】
前記接続情報は、自装置のＩＰアドレスを少なくとも含む、請求項１５に記載の記憶装置。
【請求項１８】
前記接続情報は、自装置が具備する共存プロファイルを含む、請求項１５に記載の記憶装置。
【請求項１９】
前記接続情報は、自装置が提供可能な共存サービスに係る情報を含む、請求項１５に記載の記憶装置。
【請求項２０】
複数の無線システムの情報を管理するサーバ装置であって、
前記無線システムを利用する通信装置との間で情報を仲介する通信制御装置が、複数の前記無線システムの共存を制御する通信制御判断装置に接続するための接続情報を、前記通信制御判断装置から取得し、記憶装置からの要求に応じて前記接続情報を前記記憶装置に提供する制御部を備える、サーバ装置。
【発明の詳細な説明】
【技術分野】
【０００１】
本開示は、通信制御装置、記憶装置、通信制御判断装置及びサーバ装置に関する。
【背景技術】
【０００２】
将来の周波数リソースの枯渇を緩和するための対策の１つとして、周波数の二次利用についての議論が進められている。周波数の二次利用とは、あるシステムに優先的に割り当てられている周波数チャネルの一部又は全部を、他のシステムが二次的に利用することをいう。一般的に、周波数チャネルが優先的に割り当てられているシステムは一次システム（Primary  System）、当該周波数チャネルを二次利用するシステムは二次システム（Secondary  System）と呼ばれる。【０００３】
ＴＶホワイトスペースは、二次利用が議論されている周波数チャネルの一例である。ＴＶホワイトスペースは、一次システムとしてのＴＶ放送システムに割り当てられている周波数チャネルのうち、地域に応じて当該ＴＶ放送システムにより利用されていないチャネルを指す。このＴＶホワイトスペースを二次システムに開放することで、周波数リソースの効率的な活用が実現され得る。ＴＶホワイトスペースの二次利用を可能とするための物理層（ＰＨＹ）及びＭＡＣ層の無線アクセス方式の仕様として、例えば、ＩＥＥＥ８０２．２２、ＩＥＥＥ８０２．１１ａｆ、及びＥＣＭＡ（European  Computer  Manufacturer  Association）−３９２（ＣｏｇＮｅａ）などの複数の標準仕様が存在する。【０００４】
ＩＥＥＥ８０２．１９ワーキンググループは、異なる無線アクセス方式を使用する複数の二次システムを円滑に共存させることを目的とした検討を進めている。例えば、ＩＥＥＥ８０２．１９ワーキンググループでは、二次システムの共存（coexistence）のために求められる諸機能を、ＣＭ（Coexistence  Manager）、ＣＥ（Coexistence  Enabler）及びＣＤＩＳ（Coexistence  Discovery  and  Information  Server）という３つの機能エンティティにグループ分けしている。ＣＭは、主に共存のための意思決定（decision-making）を行う機能エンティティである。ＣＥは、ＣＭと二次利用ノードとの間の命令の伝達や情報の交換を仲介するインタフェースとなる機能エンティティである。ＣＤＩＳは、複数の二次システムの情報を一元的に管理するサーバとなる機能エンティティである。【０００５】
例えば、これらの機能エンティティに関し、下記特許文献１では、複数の機能エンティティが協調して近隣検出を行う技術が開示されている。
【先行技術文献】
【特許文献】
【０００６】
【特許文献１】国際公開第２０１２／１３２８０４号公報
【発明の概要】
【発明が解決しようとする課題】
【０００７】
しかし、周波数を二次利用する際に、ＣＥが最初にどのＣＭと接続すべきかが規定されていない。ＣＥがいかなる実装であっても、そのＣＥが最初にどのＣＭと接続すべきかを規定しなければ、二次利用ノードの情報がシステムに提供されず、円滑な周波数の二次利用が行えない。【０００８】
そこで本開示では、いかなる実装であっても通信ノード間の共存を実施できるようにすることが可能な、新規かつ改良された通信制御装置、記憶装置、通信制御判断装置及びサーバ装置を提案する。
【課題を解決するための手段】
【０００９】
本開示によれば、複数の無線システム間の共存を制御する通信制御判断装置へ接続するための接続情報を保持する記憶装置に対して、前記接続情報の取得要求を送信する送信部と、前記記憶装置から前記接続情報を含んだ応答を取得する取得部と、前記記憶装置から受信した前記接続情報から少なくとも一つの基準によって通信制御判断装置を選択する制御部と、を備え、前記基準は、前記共存のための通信制御に必要な情報に関する、通信制御装置が提供される。【００１０】
また本開示によれば、複数の無線システム間の共存を制御する通信制御判断装置と、前記無線システムを利用する通信装置との間で情報を仲介する通信制御装置が前記通信制御判断装置に接続するための接続情報を取得する取得部と、前記通信制御判断装置へ接続するための接続情報を保持する記憶部と、前記通信制御装置の地理的情報及びネットワーク情報に基づいて接続が推奨される通信制御判断装置への接続情報を生成する制御部と、を備える、記憶装置が提供される。【００１１】
また本開示によれば、複数の無線システム間の共存を制御する通信制御判断装置であって、前記無線システムを利用する通信装置との間で情報を仲介する通信制御装置が前記通信制御判断装置に接続するための接続情報を、複数の前記無線システムの情報を管理するサーバ装置へ登録または更新し、記憶装置からの要求に応じて前記接続情報を前記記憶装置に提供する制御部を備える、通信制御判断装置が提供される。【００１２】
また本開示によれば、複数の無線システムの情報を管理するサーバ装置であって、前記無線システムを利用する通信装置との間で情報を仲介する通信制御装置が、複数の前記無線システムの共存を制御する通信制御判断装置に接続するための接続情報を、前記通信制御判断装置から取得し、記憶装置からの要求に応じて前記接続情報を前記記憶装置に提供する制御部を備える、サーバ装置が提供される。
【発明の効果】
【００１３】
以上説明したように本開示によれば、いかなる実装であっても通信ノード間の共存を実施できるようにすることが可能な、新規かつ改良された通信制御装置、記憶装置、通信制御判断装置及びサーバ装置を提供することが出来る。【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態に係る通信システムの概要を説明するための説明図である。
【図２】共存支援のための３つの機能エンティティの相関を示す説明図である。
【図３】共存支援のための４つの機能エンティティを説明するための図である。
【図４Ａ】本実施形態で想定するアーキテクチャ例を示す説明図である。
【図４Ｂ】本実施形態で想定するアーキテクチャ例を示す説明図である。
【図４Ｃ】本実施形態で想定するアーキテクチャ例を示す説明図である。
【図４Ｄ】本実施形態で想定するアーキテクチャ例を示す説明図である。
【図５】ＣＥとして機能しうる装置１００の機能構成例を示す説明図である。
【図６】ＣＭとして機能しうる装置２００の機能構成例を示す説明図である。
【図７】ＣＤＩＳとして機能しうる装置３００の機能構成例を示す説明図である。
【図８】ＣＭ  ｌｉｓｔ  ｄａｔａｂａｓｅとして機能しうる装置４００の機能構成例を示す説明図である。
【図９】ＣＭ  ｌｉｓｔ  ｄａｔａｂａｓｅ及び、ＣＭまたはＣＤＩＳの動作例を示すシーケンス図である。
【図１０】ＣＭ  ｌｉｓｔ  ｄａｔａｂａｓｅ、ＣｏＥ及びＣＭの動作例を示すシーケンス図である。
【図１１】ＣＥ及びＣＭ  ｌｉｓｔ  ｄａｔａｂａｓｅの動作例を示すシーケンス図である。
【図１２】ＣＥ及びＣＭの動作例を示すシーケンス図である。
【図１３】ＣＥの動作例を示す流れ図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．本開示の実施形態
１．１．システムの全体的な構成
１．２．アーキテクチャ例
１．３．構成例
１．４．動作例
２．まとめ
【００１８】
＜１．本開示の実施形態＞
［１．１．システムの全体的な構成］
図１は、本開示の一実施形態に係る通信システムの概要を説明するための説明図である。
【００１９】
図１を参照すると、二次システムＡを構成する複数の二次利用ノード３０Ａ、及び二次システムＢを構成する複数の二次利用ノード３０Ｂが示されている。図１に示すように、二次利用ノード３０は、典型的には基地局又はアクセスポイント等の送信局である。送信局である二次利用ノード３０Ａは、サービスエリア４０Ａの内部に位置する受信局に二次システムＡのサービスを提供する。送信局である二次利用ノード３０Ｂも同様に、サービスエリア４０Ｂの内部に位置する受信局に二次システムＢのサービスを提供する。以下では、二次システムを構成する送信局及び受信局を、二次利用ノードと総称する場合がある。
【００２０】
二次利用ノード３０Ａ及び３０Ｂは、通信制御装置１０Ａ及び１０Ｂにそれぞれ接続される。通信制御装置１０は、一次システムに割り当てられた周波数チャネルを利用する複数の二次システム間の共存を制御するために導入される装置である。通信制御装置１０Ａ及び１０Ｂは、地理位置情報ＤＢ（ＧＬＤＢ：Geo−location  Database）２０に接続される。ＧＬＤＢ２０は、利用可能な周波数のリスト及び／又は送信電力を二次システムの各々へ通知する機能を有し、典型的には一次システムの保護（Incumbent  protection）を行う。例えば、通信制御装置１０は、一次システムに割り当てられている周波数帯域のうち二次利用可能な周波数帯域をＧＬＤＢ２０から知得して、管理及び／又は制御対象（以下では、単に管理下とも称する）の二次システムに利用させる。
【００２１】
なお、一次システムとしては、例えばＴＶ放送システム、ＰＭＳＥ(Program  Making  and  Special  Events)、レーダ（軍用、艦載、気象等）、固定衛星サービス（ＦＳＳ：Fixed  Satellite  Service）、及び地球探査衛星（ＥＥＳＳ：Earth  Exploration  Satellite  Service）等が挙げられる。
【００２２】
ここで、複数の二次システムのサービスエリア４０（即ち、４０Ａ及び４０Ｂ）が、地理的に重複する共に、利用周波数帯域が重複する場合がある。具体的な例としては、例えば、異なるオペレータにより運用されるＬＴＥ（Long  Term  Evolution）サービスの提供領域とＷｉ−Ｆｉサービスの提供領域とが重複する場合が考えられる。
【００２３】
本実施形態では、このような状況下において、一次システムに割り当てられている周波数帯域の一部又は全部を、ひとつ以上の二次システムが協調して二次利用することを想定する。そのためには、複数の二次システム間で円滑な情報交換が可能となることが望ましい。
【００２４】
図２は、共存支援のための３つの機能エンティティの相関を示す説明図である。図２に示すように、ＩＥＥＥ８０２．１９．１において、二次システムの共存を支援するための諸機能は、ＣＭ、ＣＥ及びＣＤＩＳという３つの機能エンティティにグループ分けされる。
【００２５】
（１）ＣＭ（Coexistence  Manager）
ＣＭは、共存のための意思決定（decision-making）を行う機能エンティティである。ＣＭは、一次システムに関する情報、利用可能なチャネルに関する情報及び二次システムに関する情報を取得する。ＣＭによる情報の取得元は、ＣＤＩＳ、他のＣＭ及び（ＣＥを介してアクセスされる）二次利用ノードなどである。ＣＭは、これら情報に基づいて、自らの管理下にある二次利用ノードがどの周波数チャネルを用いて二次システムを運用すべきかを決定する。ＣＭは、各二次利用ノードについて、最大送信電力、推奨される無線アクセス方式、及び位置データの更新の周期などの追加的な制御パラメータをさらに決定してもよい。そして、ＣＭは、決定したパラメータに従って、各二次利用ノードに二次システムを運用させ又は二次システムを再構成させる。
【００２６】
（２）ＣＥ（Coexistence  Enabler）
ＣＥは、ＣＭと二次利用ノードとの間の命令の伝達や情報の交換を仲介するインタフェースとなる機能エンティティである。例えば、ＣＥは、二次利用ノードが有する情報をＣＭが使用し得る形式に変換し、変換した情報をＣＭへ伝達する。また、ＣＥは、ＣＭからの二次システムの共存についての命令を二次利用ノードが実行し得る形式に変換し、変換した命令を二次利用ノードに伝達する。
【００２７】
（３）ＣＤＩＳ（Coexistence  Discovery  and  Information  Server）
ＣＤＩＳは、複数の二次システムの情報を管理するサーバとなる機能エンティティである。例えば、ＣＤＩＳは、各二次利用ノードからＣＥ及びＣＭを介して二次システムに関する情報を収集する。また、ＣＤＩＳは、一次システムに関する情報及び利用可能なチャネルに関する情報をＧＬＤＢ２０から収集する。そして、ＣＤＩＳは、収集した情報をデータベースに蓄積する。ＣＤＩＳにより蓄積された情報は、ＣＭによる共存のための意思決定の際に使用される。ＣＤＩＳは、複数のＣＭの中からのマスタＣＭ（複数のＣＭを統括し、集中的に意思決定を行うＣＭ）の選択を行ってもよい。また、ＣＤＩＳは、互いに干渉する可能性のある近隣の二次システムを検出する近隣検出機能を有する。
【００２８】
図１に示した通信制御装置１０の各々には、上述した３種類の機能エンティティのうち少なくとも１つが実装される。なお、一部の機能エンティティは、個々の二次利用ノード３０に実装されてもよい。また、一部の機能エンティティは、ＧＬＤＢ２０と同一の装置に実装されてもよい。
【００２９】
なお、上述した３種類の機能エンティティを、まとめて共存システム（Coexistence  System）とも称する場合がある。共存システムは、管理下の二次システムの共存を支援する。
【００３０】
（４）ＷＳＯ（White  Space  Object）
ＷＳＯは、二次利用ノードのひとつである。ＩＥＥＥ  Ｓｔｄ  ８０２．１９．１−２０１４においては、ＷＳＯは、ＴＶホワイトスペース（ＴＶＷＳ：television  white  space）デバイス、又はＴＶＷＳデバイスのネットワークを表す。本実施形態においては、ＷＳＯは、ＴＶＷＳデバイス及びＴＶＷＳデバイスのネットワークに限定されず、二次利用ノード若しくは二次システムのネットワーク全般を指すものとする。ＷＳＯは、二次システムの共存のためのサービスである共存サービス（Coexistence  service）を受けるために、ＣＥを介してＣＭと接続する。なお、ＷＳＯは、通信ノード（Communication  node）の一種である。
【００３１】
（５）ＲＬＳＳ（Registered  Location  Secure  Server）
ＲＬＳＳは、端末間の干渉を防ぐためのローカルサーバである。ＷＳＯは、ＲＬＳＳを経由して、ＧＬＤＢ２０と接続する。ＲＬＳＳは、ＴＶＷＳ用の無線アクセス方式を提供する規格のひとつであるＩＥＥＥ  Ｓｔｄ  ８０２．１１ａｆで規定される。ＩＥＥＥ  Ｓｔｄ  ８０２．１９．１−２０１４においては、ＲＬＳＳは、地理的位置を用いて整理された情報を格納し、ひとつ又は複数の基本サービスセットのための動作パラメータ及び位置を保持するデータベースにアクセスし、管理するエンティティである。
【００３２】
以上、機能エンティティの各々の内容を説明した。機能エンティティの各々は、互いにインタフェースを用いて情報の交換を行い得る。図２に示すように、ＣＥ及びＷＳＯ／ＲＬＳＳは、インタフェースＡを経由して情報の交換が可能である。ＣＭ及びＣＥは、インタフェースＢ１を経由して情報の交換が可能である。ＣＭ及びＣＤＩＳは、インタフェースＢ２を経由して情報の交換が可能である。ＣＭ同士は、インタフェースＢ３を経由して情報の交換が可能である。ＣＭ及びＷｈｉｔｅｓｐａｃｅ  Ｄａｔａｂａｓｅは、インタフェースＣを経由して情報の交換が可能である。なお、ＣＥ及びＷＳＯ／ＲＬＳＳは、同一の装置において実装されていても良い。
【００３３】
図３は、共存支援のための４つの機能エンティティを説明するための図である。図３に示すように、共存システムにＣｏＥ（Coordination  Enabler）が導入されていてもよい。このエンティティは、管理者の異なる共存システム間や外部に存在するエンティティとの情報交換を実施する。ＣｏＥは、図１に示した通信制御装置１０において実装されてもよいし、個々の二次利用ノード３０において実装されてもよいし、ＧＬＤＢ２０と同一の装置において実装されてもよいし、他の任意の装置において実装されてもよい。なお、ＧＬＤＢとＣＭとの間に図２と同様にインタフェースが設けられていてもよい。
【００３４】
このような機能エンティティを有する通信システムにおいて、ＩＥＥＥ  Ｓｔｄ  ８０２．１９．１−２０１４では、最初に実施される手続きとしてＳｕｂｓｃｒｉｐｔｉｏｎ  ｒｅｑｕｅｓｔ  ｐｒｏｃｅｄｕｒｅが規定されている。しかしこの手続きは、ＣＥが何らかのＣＭにＳｅｒｖｅされていることが前提となっている。ＣＥがＣＭにサーブされるための手続き、すなわちＣＭへの初期接続の方法は、ＩＥＥＥ  Ｓｔｄ  ８０２．１９．１−２０１４では規定されていない。
【００３５】
ＣＥがＣＭやＣＤＩＳと同一の管理者によって初めから管理されていれば，ＣＭへの初期接続の手続きは不要であるといえる。しかし、実装によってはＣＥが通信ノードに実装される場合も想定され、ＣＥが実装された通信ノードが、無線ＬＡＮアクセスポイントのように市販されるケースも想定される。ＣＥが通信ノードに実装される場合、ＣＥとＣＭ／ＣＤＩＳを初めから紐づけるよりも，ＣＥがどのように実装されていたとしても、あらゆるＣＭやＣＤＩＳに接続できるような仕組みを設けておくほうが好ましいといえる。
【００３６】
ＣＭへの初期接続の仕組みが無ければ、ＣＥは、通信ノード（例えばＷＳＯ）の情報が適切にシステムに提供されず，通信ノード間の共存の実施が困難となる恐れがある。また通信ノードがモビリティを有する場合や相互互換性を考慮する上でも、ＣＭへの初期接続の手続きは用意しておくべきであると考えられる。
【００３７】
そこで本件開示者は、ＣＥがどのように実装されていたとしても、あらゆるＣＭやＣＤＩＳに接続できるような仕組みについて鋭意検討を行った。その結果、本件開示者は、ＣＭの情報を保持するデータベースを設け、ＣＥがそのデータベースに接続してＣＭの情報を取得することで、ＣＥがどのように実装されていたとしても、あらゆるＣＭやＣＤＩＳに接続できる仕組みを考案するに至った。
【００３８】
［１．２．アーキテクチャ例］
本実施形態では、ＣＭの情報を保持するデータベースを設け、ＣＥがそのデータベースに接続してＣＭの情報を取得する。そこで、以下では本実施形態で想定するアーキテクチャ例を示す。
【００３９】
図４Ａ〜図４Ｄは、本実施形態で想定するアーキテクチャ例を示す説明図である。いずれの例においても、ＣＭの情報を保持するデータベースが設けられている。このデータベースを本実施形態では、ＣＭ  ｌｉｓｔ  Ｄａｔａｂａｓｅとする。また、インタフェースが有線のみであるか、無線区間を介するかは問わないものとする。
【００４０】
図４Ａは、ＣＥ及びＣＭがＣＭ  ｌｉｓｔ  Ｄａｔａｂａｓｅとの間のインタフェースを有しているアーキテクチャ例を示す説明図である。図４Ｂは、ＣＥ及びＣＤＩＳがＣＭ  ｌｉｓｔ  Ｄａｔａｂａｓｅとの間のインタフェースを有しているアーキテクチャ例を示す説明図である。図４Ｃは、ＣＥ及びＣｏＥがＣＭ  ｌｉｓｔ  Ｄａｔａｂａｓｅとの間のインタフェースを有しているアーキテクチャ例を示す説明図である。
【００４１】
図４Ａ〜図４Ｃに示したアーキテクチャ例は、システムが有するいずれかのエンティティを介して、ＣＭ  ｌｉｓｔ  ＤａｔａｂａｓｅがＣＭへの接続情報を取得するためのアーキテクチャ例である。図４Ａの例は、ＣＭ  ｌｉｓｔ  ＤａｔａｂａｓｅがＣＭからＣＭへの接続情報を取得するアーキテクチャ例である。図４Ｂの例は、ＣＭ  ｌｉｓｔ  ＤａｔａｂａｓｅがＣＤＩＳからＣＭへの接続情報を取得するアーキテクチャ例である。図４Ｃの例は、ＣＭ  ｌｉｓｔ  ＤａｔａｂａｓｅがＣｏＥからＣＭへの接続情報を取得するアーキテクチャ例である。このようなアーキテクチャは、ＣＭへの接続情報が定期的または不定期に変更される場合や、複数の共存システム間で管理者や運営者が異なるシチュエーションなどにおいてＣＥがＣＭの接続情報の取得を自動で行う場合などに役立つ。
【００４２】
図４Ｄに示したアーキテクチャ例は、システムが有するいずれのエンティティ（ＣＥ、ＣＤＩＳ、ＣｏＥ）もＣＭ  ｌｉｓｔ  Ｄａｔａｂａｓｅへのインタフェースを設けていない場合のアーキテクチャ例である。図４Ｄに示したアーキテクチャ例は、例えば、共存システムの管理者や運営者が独自にＣＭ  ｌｉｓｔ  ｄａｔａｂａｓｅを具備する場合など、ＣＭへの接続情報が既知である場合において、ＣＭ  ｌｉｓｔ  ｄａｔａｂａｓｅに事前に接続情報を持たせておくことが可能なときに役立つ。
【００４３】
本実施形態では、ＣＥがＣＭへの接続情報を取得すること（ＣＭ  ｄｉｓｃｏｖｅｒｙ）が目的であるため，ＣＭ  ｌｉｓｔ  ｄａｔａｂａｓｅの形態は図４Ａ〜図４Ｄのいずれのアーキテクチャであってもよい。
【００４４】
なお、ＣＥは本開示の通信制御装置の一例であり、ＣＭは本開示の通信制御判断装置の一例であり、ＣＤＩＳは本開示のサーバ装置の一例であり、ＣＭ  ｌｉｓｔ  ｄａｔａｂａｓｅは本開示の記憶装置の一例である。
【００４５】
［１．３．構成例］
続いて、ＣＥ、ＣＭ、ＣＤＩＳ、ＣＭ  ｌｉｓｔ  ｄａｔａｂａｓｅのそれぞれの機能構成例を説明する。
【００４６】
図５は、ＣＥとして機能しうる装置１００の機能構成例を示す説明図である。図５に示したように、装置１００は、通信部１１０と、処理部１２０と、記憶部１３０と、を含んで構成される。また処理部１２０は、取得部１２１と、制御部１２３と、を含んで構成される。
【００４７】
通信部１１０は、他の装置との間の情報の通信を行う。通信部１１０は、例えば無線通信の場合はアンテナを、有線通信の場合は有線通信用のインタフェースを備えうる。また通信部１１０は、情報の通信処理のための通信回路を備えうる。通信部１１０は、他の装置から受信した情報を処理部１２０に送る。
【００４８】
処理部１２０は、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成されており、装置１００の様々な機能を提供する。なお、処理部１２０は、取得部１２１及び制御部１２３以外の他の構成要素をさらに含み得る。即ち、処理部１２０は、取得部１２１及び制御部１２３の動作以外の動作も行い得る。
【００４９】
取得部１２１は、通信部１１０が他の装置から受信した種々の情報を取得する。
【００５０】
制御部１２３は、装置１００の動作を制御する。制御部１２３は、装置１００の動作を制御する際に、取得部１２１が取得した情報や、記憶部１３０で記憶されている情報を用いうる。
【００５１】
本実施形態では、ＣＥとして機能しうる装置１００の通信部１１０は、後述のＣＭ  ｌｉｓｔ  ｄａｔａｂａｓｅとして機能しうる装置４００に対して、ＣＭへの接続情報を要求するリクエストを、制御部１２３の制御に基づき送信する。ＣＥとして機能しうる装置１００の取得部１２１は、装置４００から、ＣＭへの接続情報を含んだ応答を取得する。ＣＥとして機能しうる装置１００の制御部１２３は、装置４００から受信したＣＭへの接続情報を含んだ応答から、少なくとも一つの基準によってＣＭを選択する。当該基準は、例えば、周波数帯を二次利用する二次システム（本開示の複数の無線システムの一例）間の共存のための通信制御に必要な情報に関する基準である。
【００５２】
記憶部１３０は、例えばＨＤＤ、ＳＳＤ、フラッシュメモリその他の記憶媒体で構成され、種々の情報を記憶する。
【００５３】
図６は、ＣＭとして機能しうる装置２００の機能構成例を示す説明図である。図６に示したように、装置２００は、通信部２１０と、処理部２２０と、記憶部２３０と、を含んで構成される。また処理部２２０は、取得部２２１と、制御部２２３と、を含んで構成される。
【００５４】
通信部２１０は、他の装置との間の情報の通信を行う。通信部２１０は、例えば無線通信の場合はアンテナを、有線通信の場合は有線通信用のインタフェースを備えうる。また通信部２１０は、情報の通信処理のための通信回路を備えうる。通信部２１０は、他の装置から受信した情報を処理部２２０に送る。
【００５５】
処理部２２０は、例えばＣＰＵ、ＲＯＭ、ＲＡＭ等で構成されており、装置２００の様々な機能を提供する。なお、処理部２２０は、取得部２２１及び制御部２２３以外の他の構成要素をさらに含み得る。即ち、処理部２２０は、取得部２２１及び制御部２２３の動作以外の動作も行い得る。
【００５６】
取得部２２１は、通信部２１０が他の装置から受信した種々の情報を取得する。
【００５７】
制御部２２３は、装置２００の動作を制御する。制御部２２３は、装置２００の動作を制御する際に、取得部２２１が取得した情報や、記憶部２３０で記憶されている情報を用いうる。
【００５８】
本実施形態では、ＣＭとして機能しうる装置２００の制御部２２３は、ＣＥとして機能しうる装置１００がＣＭに接続するための接続情報をＣＤＩＳとして機能しうる装置３００へ登録または更新する。またＣＭとして機能しうる装置２００の制御部２２３は、ＣＭ  ｌｉｓｔ  ｄａｔａｂａｓｅとして機能しうる装置４００からの要求に応じて、接続情報を装置４００に提供する。
【００５９】
記憶部２３０は、例えばＨＤＤ、ＳＳＤ、フラッシュメモリその他の記憶媒体で構成され、種々の情報を記憶する。
【００６０】
図７は、ＣＤＩＳとして機能しうる装置３００の機能構成例を示す説明図である。図７に示したように、装置３００は、通信部３１０と、処理部３２０と、記憶部３３０と、を含んで構成される。また処理部３２０は、取得部３２１と、制御部３２３と、を含んで構成される。
【００６１】
通信部３１０は、他の装置との間の情報の通信を行う。通信部３１０は、例えば無線通信の場合はアンテナを、有線通信の場合は有線通信用のインタフェースを備えうる。また通信部３１０は、情報の通信処理のための通信回路を備えうる。通信部３１０は、他の装置から受信した情報を処理部３２０に送る。
【００６２】
処理部３２０は、例えばＣＰＵ、ＲＯＭ、ＲＡＭ等で構成されており、装置３００の様々な機能を提供する。なお、処理部３２０は、取得部３２１及び制御部３２３以外の他の構成要素をさらに含み得る。即ち、処理部３２０は、取得部３２１及び制御部３２３の動作以外の動作も行い得る。
【００６３】
取得部３２１は、通信部３１０が他の装置から受信した種々の情報を取得する。
【００６４】
制御部３２３は、装置３００の動作を制御する。制御部３２３は、装置３００の動作を制御する際に、取得部３２１が取得した情報や、記憶部３３０で記憶されている情報を用いうる。
【００６５】
本実施形態では、ＣＤＩＳとして機能しうる装置３００の制御部３２３は、ＣＥがＣＭに接続するための接続情報をＣＭから取得し、ＣＭ  ｌｉｓｔ  ｄａｔａｂａｓｅとして機能しうる装置４００からの要求に応じて、取得した接続情報を装置４００に提供する。
【００６６】
記憶部３３０は、例えばＨＤＤ、ＳＳＤ、フラッシュメモリその他の記憶媒体で構成され、種々の情報を記憶する。
【００６７】
図８は、ＣＭ  ｌｉｓｔ  ｄａｔａｂａｓｅとして機能しうる装置４００の機能構成例を示す説明図である。図８に示したように、装置４００は、通信部４１０と、処理部４２０と、記憶部４３０と、を含んで構成される。また処理部４２０は、取得部４２１と、制御部４２３と、を含んで構成される。
【００６８】
通信部４１０は、他の装置との間の情報の通信を行う。通信部４１０は、例えば無線通信の場合はアンテナを、有線通信の場合は有線通信用のインタフェースを備えうる。また通信部４１０は、情報の通信処理のための通信回路を備えうる。通信部４１０は、他の装置から受信した情報を処理部４２０に送る。
【００６９】
処理部４２０は、例えばＣＰＵ、ＲＯＭ、ＲＡＭ等で構成されており、装置４００の様々な機能を提供する。なお、処理部４２０は、取得部４２１及び制御部４２３以外の他の構成要素をさらに含み得る。即ち、処理部４２０は、取得部４２１及び制御部４２３の動作以外の動作も行い得る。
【００７０】
取得部４２１は、通信部４１０が他の装置から受信した種々の情報を取得する。
【００７１】
制御部４２３は、装置４００の動作を制御する。制御部４２３は、装置４００の動作を制御する際に、取得部４２１が取得した情報や、記憶部４３０で記憶されている情報を用いうる。
【００７２】
記憶部４３０は、例えばＨＤＤ、ＳＳＤ、フラッシュメモリその他の記憶媒体で構成され、種々の情報を記憶する。
【００７３】
本実施形態では、ＣＭ  ｌｉｓｔ  ｄａｔａｂａｓｅとして機能しうる装置４００の取得部４２１は、ＣＥがＣＭに接続するための接続情報を、ＣＭやＣＤＩＳから取得する。装置４００の記憶部４３０は、取得した接続情報を記憶する。そして装置４００の制御部４２３は、ＣＥの地理的情報及びネットワーク情報に基づいて、そのＣＥにとって接続が推奨されるＣＭへの接続情報を生成する。
【００７４】
［１．４．動作例］
続いて、本実施形態の各エンティティの動作例を説明する。以下の説明では、上述した各装置では無く、図４Ａ〜４Ｄで示した各エンティティがそれぞれの動作を実行するとして説明するが、実際には上述した各エンティティとして機能しうるそれぞれの装置が、以下で説明する動作を実行してもよい。
【００７５】
まず、ＣＭ  ｌｉｓｔ  ｄａｔａｂａｓｅが各ＣＭの接続情報を取得する際の動作例を説明する。図９は、ＣＭ  ｌｉｓｔ  ｄａｔａｂａｓｅ及びＣＭまたはＣＤＩＳの動作例を示すシーケンス図である。図９に示したのは、アーキテクチャが図４Ａまたは図４Ｂに示した場合に、ＣＭ  ｌｉｓｔ  ｄａｔａｂａｓｅがＣＭまたはＣＤＩＳからＣＭへの接続情報を取得する場合のシーケンス図である。
【００７６】
ＣＭ  ｌｉｓｔ  ｄａｔａｂａｓｅは、ＣＭまたはＣＤＩＳから、事前に各ＣＭの接続情報を取得しておく。そのために、ＣＭ  ｌｉｓｔ  ｄａｔａｂａｓｅは、ＣＭまたはＣＤＩＳに対して接続情報取得リクエストを送信する（ステップＳ１０１）。ＣＭまたはＣＤＩＳは、接続情報取得リクエストに応じて、接続情報取得レスポンスをＣＭ  ｌｉｓｔ  ｄａｔａｂａｓｅへ送信する（ステップＳ１０２）。
【００７７】
図１０は、ＣＭ  ｌｉｓｔ  ｄａｔａｂａｓｅ、ＣｏＥ及びＣＭの動作例を示すシーケンス図である。図１０に示したのは、アーキテクチャが図４Ｃに示した場合に、ＣＭ  ｌｉｓｔ  ｄａｔａｂａｓｅが、ＣｏＥを通じてＣＭへの接続情報を取得する場合のシーケンス図である。
【００７８】
ＣＭ  ｌｉｓｔ  ｄａｔａｂａｓｅは、ＣＭから、事前に各ＣＭの接続情報を取得しておく。そのために、ＣＭ  ｌｉｓｔ  ｄａｔａｂａｓｅは、ＣｏＥに対して接続情報取得リクエストを送信する（ステップＳ１１１）。ＣｏＥは、ＣＭ  ｌｉｓｔ  ｄａｔａｂａｓｅから送られてきた接続情報取得リクエストをＣＭに転送する（ステップＳ１１２）。ＣＭは、接続情報取得リクエストに応じて、接続情報取得レスポンスをＣｏＥへ送信する（ステップＳ１１３）。ＣｏＥは、ＣＭから送られてきた接続情報取得レスポンスをＣＭ  ｌｉｓｔ  ｄａｔａｂａｓｅへ転送する（ステップＳ１１４）。
【００７９】
ＣＭ  ｌｉｓｔ  ｄａｔａｂａｓｅは、接続情報取得リクエストのメッセージに何を含めていてもよい。例えばＣＭ  ｌｉｓｔ  ｄａｔａｂａｓｅは、特定の地理領域の通信利用制御判断を担うＣＭの接続情報を取得したい場合、地理領域に係る情報を通知してもよい。または、例えばＣＭ  ｌｉｓｔ  ｄａｔａｂａｓｅは、共存プロファイルや提供する共存サービス（Ｉｎｆｏｒｍａｔｉｏｎ  ｓｅｒｖｉｃｅ  ｏｒ  Ｍａｎａｇｅｍｅｎｔ  ｓｅｒｖｉｃｅのこと）を限定してＣＭの接続情報を取得したい場合、共存プロファイルや提供する共存サービスを特定可能な識別子を通知してもよい。
【００８０】
接続情報取得レスポンスには、少なくともＣＭのＩＤやＩＰアドレスが含まれうる。ＣＭが複数存在する場合では、接続情報取得レスポンスには、ＩＤ及びＩＰアドレスのリストが含まれる。接続情報取得レスポンスには、さらに、ＣＭに実装されている共存プロファイルや提供可能な共存サービスを特定可能な識別子が含まれてもよい。接続情報取得レスポンスには、また、ＣＭが管理している地理領域に係る情報などが含まれてもよい。接続情報取得レスポンスには、また、ＣＭを管理または運営する通信事業者に係る情報が含まれてもよい。
【００８１】
接続情報取得レスポンスには、また、ＣＭへの接続優先度のような情報が含まれてもよい。ＣＭへの接続優先度は、ＣＭ  ｌｉｓｔ  ｄａｔａｂａｓｅが接続情報取得リクエストを送信するタイミングによって変動しうる。ＣＭへの接続優先度は、例えばＣＭと接続しているＣＥの数によって変動しうる。ＣＭと接続しているＣＥが少なければ接続優先度が上がり、ＣＭと接続しているＣＥが多くなれば接続優先度が下がっても良い。またＣＭへの接続優先度は、例えばＣＭの計算負荷によって変動しうる。ＣＭの計算負荷が少なければ接続優先度が上がり、ＣＭの計算負荷が増えれば接続優先度が下がっても良い。またＣＭへの接続優先度は、例えばＣＥを有するユーザの契約や、ＣＥとＣＭとの間のアクセス方式によって変動しうる。もちろんＣＭへの接続優先度は他の要因によっても変動しうる。
【００８２】
提供可能な共存サービスを特定可能な識別子は、例えば、以下のようなクラス情報であってもよい。
ＣＭ  Ｃｌａｓｓ  １：Ｉｎｆｏｒｍａｔｉｏｎ  ｓｅｒｖｉｃｅとＭａｎａｇｅｍｅｎｔ  ｓｅｒｖｉｃｅの両方を提供する
ＣＭ  Ｃｌａｓｓ  ２：Ｍａｎａｇｅｍｅｎｔ  ｓｅｒｖｉｃｅのみを提供する
ＣＭ  Ｃｌａｓｓ  ３：Ｉｎｆｏｒｍａｔｉｏｎ  ｓｅｒｖｉｃｅのみを提供する
【００８３】
どのような形態であっても、共存プロファイルや提供する共存サービスに係る情報などをＣＭ  ｌｉｓｔ  ｄａｔａｂａｓｅが接続情報として取得しておくことは、後にＣＥとＣＭとの間のインタラクションを減らすというメリットをもたらす。
【００８４】
続いて、ＣＥがＣＭへの接続情報を取得する手続を説明する。以下の例では、ＣＥは、予めＣＭ  ｌｉｓｔ  ｄａｔａｂａｓｅへ接続するための情報（ＩＰアドレスやポート番号など）を有するものとして説明する。
【００８５】
図１１は、ＣＥ及びＣＭ  ｌｉｓｔ  ｄａｔａｂａｓｅの動作例を示すシーケンス図である。図１１に示したのは、ＣＥがＣＭへの接続情報をＣＭ  ｌｉｓｔ  ｄａｔａｂａｓｅから取得する場合のシーケンス図である。
【００８６】
ＣＥは、ＣＭへの接続情報を取得するためにＣＭ  ｌｉｓｔ  ｄａｔａｂａｓｅへＣＭへの接続情報の取得リクエストを送信する（ステップＳ１２１）。ＣＭ  ｌｉｓｔ  ｄａｔａｂａｓｅは、ＣＥから取得リクエストを受信すると、そのＣＥに対して推奨されるＣＭの接続情報リストの生成を行う（ステップＳ１２２）。そしてＣＭ  ｌｉｓｔ  ｄａｔａｂａｓｅは、ＣＭの接続情報リストを生成すると、その接続情報リストを含んだメッセージをレスポンスとしてＣＥへ送信する（ステップＳ１２３）。
【００８７】
ＣＥは、ＣＭ接続情報の取得リクエストのメッセージに、例えば、ＣＥのＩＤ、ＣＥを具備する通信ノードの地理位置情報、ＣＥが具備する共存プロファイルに係る情報、通信ノードに対してインターネットサービスを提供する通信事業者に係る情報や、ＣＥがサーブする通信ノードが具備する無線通信方式に係る情報などを含めていてもよい。またＣＥは、ＣＭ接続情報の取得リクエストのメッセージに、希望する共存サービスを示す識別子を含めてもよい。
【００８８】
ＣＭ  ｌｉｓｔ  ｄａｔａｂａｓｅは、ＣＥへのレスポンスに、少なくともそのＣＥについて推奨されるＣＭへの接続情報を含める。ＣＭへの接続情報には、ＣＭのＩＤ、ＣＭのＩＰアドレスが含まれうる。ＣＭへの接続情報に複数のＣＭの情報が含まれる場合、ＣＭ  ｌｉｓｔ  ｄａｔａｂａｓｅは、ＣＭへの接続情報をリストとして提供する。
【００８９】
ＣＭ  ｌｉｓｔ  ｄａｔａｂａｓｅは、推奨されるＣＭへの接続情報に、さらに、ＣＭが具備する共存プロファイルや提供する共存サービスを特定可能な識別子を含めてもよい。提供可能な共存サービスを特定可能な識別子は、例えば上述したクラス情報であってもよい。ＣＭ  ｌｉｓｔ  ｄａｔａｂａｓｅは、ＣＭへの接続情報をリストとして提供する際に、接続優先度のような情報を含めてもよい。
【００９０】
ＣＭ  ｌｉｓｔ  ｄａｔａｂａｓｅは、推奨されるＣＭの接続情報リストの生成において、さまざまな基準を用いることが可能である。例えば以下のような基準が考えられうる。ＣＭ  ｌｉｓｔ  ｄａｔａｂａｓｅは、これらの基準を単独で用いてもよいし、複数の基準を同時に用いてもよい。ＣＭ  ｌｉｓｔ  ｄａｔａｂａｓｅは、複数の条件を用いる場合、各条件を満たすＣＭの和集合をリストとして生成してもよいし、全ての条件を満たすＣＭの情報をリストとして生成してもよい。もちろん、ＣＭ  ｌｉｓｔ  ｄａｔａｂａｓｅは以下で示したもの以外の選択基準を用いても良い。
【００９１】
【表１】
2017043264.tif 000003
【００９２】
続いて、ＣＥがＣＭへの初期接続するための手続を説明する。図１２は、ＣＥ及びＣＭの動作例を示すシーケンス図である。図１２に示したのは、ＣＥがＣＭへ初期接続する場合のシーケンス図である。
【００９３】
ＣＥは、ＣＭ  ｌｉｓｔ  ｄａｔａｂａｓｅから送信されたＣＭへの接続情報を用いてＣＭに初期接続する。複数のＣＭへの接続情報が送信されてきた場合、ＣＥは、その中から、共存のための通信制御に必要な情報に関する基準に基づいて１つのＣＭを選択し、そのＣＭへの接続情報を用いてＣＭに初期接続する。基準として、例えばＣＥは、同一の共存プロファイルを有するＣＭを初期接続するＣＭとして選択しても良い。また例えばＣＥは、自装置がサーブする通信ノードが所望する共存サービスを提供するＣＭを初期接続するＣＭとして選択しても良い。ＣＥは、例えばＣＭ  ｌｉｓｔ  ｄａｔａｂａｓｅから送られる情報に接続優先度のような情報が含まれる場合、接続優先度の高いＣＭを選択してもよい。またＣＥは、例えば，接続情報の取得リクエストに含めた情報を基に、最も多くの条件を満たすＣＭを選択してもよい。もちろん、ＣＥはこれ以外の選択基準を用いても良い。
【００９４】
ＣＥは、ＣＭに向けて接続許可リクエストを送信する（ステップＳ１３１）。ＣＭは、ＣＥから接続許可リクエストを受信すると、そのリクエストに対するレスポンスを当該ＣＭに返信する（ステップＳ１３２）。
【００９５】
ＣＥは、接続許可リクエストに、ＣＥがサーブする通信ノードのＩＤ、通信ノードの地理位置情報、ＣＥのＩＤ及びＩＰアドレスなどを含めても良い。またＣＭは、ＣＥへのレスポンスに、接続許可または接続拒否を示す識別子を少なくとも含める。
【００９６】
識別子が接続許可を示す場合には、ＣＭは、レスポンスに初期設定情報をさらに含めてもよい。初期設定情報には、例えば、当該ＣＭについてＣＥが有さない情報のうち、通信接続設定（ＨＴＴＰに関するもの）などの、共存サービスとは直接関係しないがサービス維持のために必要になる情報などが含まれてもよい。また識別子が接続拒否を示す場合には、ＣＥは別のＣＭを選択して、選択したＣＭに対して再度接続許可リクエストの手続きを実施する。
【００９７】
識別子が接続拒否を示す場合には、ＣＭは、レスポンスに接続を拒否する理由を示す識別子をさらに含めても良い。接続を拒否する理由を示す識別子は、例えばエラーコードであってもよい。エラーコードは、例えば、接続がタイムアウトで完了出来なかった、ＣＭの負荷が高いため接続できなかった、ＣＥが要件を満たしていないため接続できなかった、等の理由を示すものであってもよい。
【００９８】
ＣＭ  ｌｉｓｔ  ｄａｔａｂａｓｅから送られたＣＭの接続情報がリストの形態であり、リストに含まれる全てのＣＭから接続拒否がされた場合、ＣＥは、ＣＭ  ｌｉｓｔ  ｄａｔａｂａｓｅに再度ＣＭ接続情報の取得リクエストを送信し、ＣＭ  ｌｉｓｔ  ｄａｔａｂａｓｅからＣＭの接続情報リストを再取得してもよい。ＣＥは、ＣＭ  ｌｉｓｔ  ｄａｔａｂａｓｅに再度ＣＭ接続情報の取得リクエストを送信する際に、接続を拒否する理由を示す識別子がＣＭから送られた場合、その識別子をＣＭ  ｌｉｓｔ  ｄａｔａｂａｓｅに送信しても良い。ＣＭ  ｌｉｓｔ  ｄａｔａｂａｓｅは、その識別子に基づいて、推奨されるＣＭの接続情報リストを生成しても良い。共存プロファイルや提供する共存サービスに係る情報などをＣＭ  ｌｉｓｔ  ｄａｔａｂａｓｅが接続情報として取得しておくことは、ＣＥとＣＭとの間のインタラクションを減らすというメリットをもたらすと説明した。もし共存プロファイルや提供する共存サービスに係る情報がＣＭ  ｌｉｓｔ  ｄａｔａｂａｓｅに無ければ、このＣＭのリストを再取得する手続きにおいて、ＣＥはＣＭに総当たりで接続許可リクエストを送る必要が生じるからである。
【００９９】
図１３は、ＣＥの動作例を示す流れ図であり、ここまで述べてきたＣＥの動作を整理して説明するための流れ図である。
【０１００】
ＣＥは、ＣＭに初期接続しようとする際に、まずＣＭ  ｌｉｓｔ  ｄａｔａｂａｓｅからＣＭの接続情報リストを取得する（ステップＳ１４１）。ＣＭ  ｌｉｓｔ  ｄａｔａｂａｓｅからＣＭの接続情報リストを取得すると、続いてＣＥは、リストの中から共存のための通信制御に必要な情報に関する所定の基準に基づいてＣＭを選択する（ステップＳ１４２）。
【０１０１】
共存のための通信制御に必要な情報に関する所定の基準に基づいてＣＭを選択すると、ＣＥは、その選択したＣＭに対し、接続許可リクエストの手続を実行する（ステップＳ１４３）。
【０１０２】
ＣＥは、接続許可リクエストを送ったＣＭから接続が許可されたかどうかを判断し（ステップＳ１４４）、ＣＭから接続が許可されれば（ステップＳ１４４、Ｙｅｓ）、ＣＥは初期接続の手続を終了する。ＣＥは初期接続の手続を終了すると、続いてＳｕｂｓｃｒｉｐｔｉｏｎ  ｐｒｏｃｅｄｕｒｅ，Ｒｅｇｉｓｔｒａｔｉｏｎ  ｐｒｏｃｅｄｕｒｅなどＩＥＥＥ  ８０２．１９．１−２０１４で規定される手続きの実施を開始してもよい。
【０１０３】
一方、接続許可リクエストを送ったＣＭから接続が許可されなければ（ステップＳ１４４、Ｎｏ）、ＣＥは、ＣＭ  ｌｉｓｔ  ｄａｔａｂａｓｅから取得した接続情報リストにまだ候補が残っているかどうか判断する（ステップＳ１４５）。候補が残っていれば（ステップＳ１４５、Ｙｅｓ）、ＣＥはステップＳ１４２のＣＭ選択処理に戻る。一方、候補が残っていなければ（ステップＳ１４５、Ｎｏ）、ＣＥはステップＳ１４１のＣＭの接続情報リストを取得する処理に戻る。
【０１０４】
ＣＥは、上述した一連の動作を実行することで、初期接続するＣＭを選択し、そのＣＭに対して接続許可リクエストを送って、ＣＭとの接続を可能にすることが出来る。またＣＥは、選択したＣＭから接続が拒否された場合は、ＣＭ  ｌｉｓｔ  ｄａｔａｂａｓｅから取得した接続情報リストから別のＣＭを選択して再度そのＣＭに対して接続許可リクエストを送ることが出来る。そしてＣＥは、ＣＭ  ｌｉｓｔ  ｄａｔａｂａｓｅから取得した接続情報リストにある全てのＣＭから接続が拒否された場合は、ＣＭ  ｌｉｓｔ  ｄａｔａｂａｓｅに対して接続情報リストを再度取得することが出来る。
【０１０５】
ＣＥは、図１３に示した一連の初期接続処理を、接続が許可されるＣＭが見つかるまで繰り返しても良く、ＣＭ  ｌｉｓｔ  ｄａｔａｂａｓｅからの接続情報リストの取得を所定の回数繰り返して実行しても接続が許可されるＣＭが無ければ初期接続の処理を終了しても良い。
【０１０６】
＜２．まとめ＞
以上説明したように本開示の実施形態によれば、ＣＥがＣＭへの接続情報を保持していなくても、ＣＥは、ＣＭ  ｌｉｓｔ  ｄａｔａｂａｓｅから接続情報リストを取得し、接続情報リストに基づいて初期接続するＣＭを選択することができる。
【０１０７】
ＣＭ  ｌｉｓｔ  ｄａｔａｂａｓｅは、ＣＭやＣＤＩＳから接続情報を取得しておくことで、ＣＥがＣＭへ初期接続仕様とする際に、そのＣＥへＣＭの接続情報を提供することが出来る。
【０１０８】
本明細書の装置に備えられるプロセッサ（例えば、ＣＰＵ、ＤＳＰなど）を上記装置の構成要素として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置も提供されてもよい。また、上記装置の構成要素の動作を含む方法も、本開示に係る技術に含まれる。
【０１０９】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１１０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１２】
なお、以下のような構成も本開示の技術的範囲に属する。
（１）
複数の無線システム間の共存を制御する通信制御判断装置へ接続するための接続情報を保持する記憶装置に対して、前記接続情報の取得要求を送信する送信部と、
前記記憶装置から前記接続情報を含んだ応答を取得する取得部と、
前記記憶装置から受信した前記接続情報から少なくとも一つの基準によって通信制御判断装置を選択する制御部と、
を備え、
前記基準は、前記共存のための通信制御に必要な情報に関する、通信制御装置。
（２）
前記制御部は、前記基準として自装置と同一の共存プロファイルを具備することを条件に通信制御判断装置を選択する、前記（１）に記載の通信制御装置。
（３）
前記制御部は、前記基準として自装置と接続されている通信ノードが希望する共存サービスを提供することを条件に通信制御判断装置を選択する、前記（１）に記載の通信制御装置。
（４）
前記制御部は、選択した前記通信制御判断装置に対して接続許可要求を送信し、前記取得部は、前記通信制御判断装置から接続許可に係る応答を取得する、前記（１）〜（３）のいずれかに記載の通信制御装置。
（５）
複数の無線システム間の共存を制御する通信制御判断装置と、前記無線システムを利用する通信装置との間で情報を仲介する通信制御装置が前記通信制御判断装置に接続するための接続情報を取得する取得部と、
前記通信制御判断装置へ接続するための接続情報を保持する記憶部と、
前記通信制御装置の地理的情報及びネットワーク情報に基づいて接続が推奨される通信制御判断装置への接続情報を生成する制御部と、
を備える、記憶装置。
（６）
前記通信制御装置からの前記接続情報の取得要求を受信すると、生成した接続情報を前記通信制御装置に送信する、前記（５）に記載の記憶装置。
（７）
前記ネットワーク情報は、前記通信制御装置と接続されている前記通信装置に通信サービスを提供する通信事業者に係る情報を含む、前記（５）または（６）に記載の記憶装置。
（８）
前記ネットワーク情報は、前記通信制御装置と接続されている通信ノードが具備する無線通信方式に係る情報を含む、前記（５）〜（７）のいずれかに記載の記憶装置。
（９）
前記ネットワーク情報は、前記通信制御装置が具備する共存プロファイルを含む、前記（５）〜（８）のいずれかに記載の記憶装置。
（１０）
前記取得部は、前記通信制御判断装置への前記接続情報の取得リクエストに応じて前記通信制御判断装置から送信される前記接続情報を取得する、前記（５）〜（９）のいずれかに記載の記憶装置。
（１１）
前記取得部は、複数の前記無線システムの情報を管理するサーバ装置への前記接続情報の取得リクエストに応じて前記サーバ装置から送信される前記接続情報を取得する、前記（５）〜（１０）のいずれかに記載の記憶装置。
（１２）
前記接続情報は、前記通信制御判断装置のＩＰアドレスを少なくとも含む、前記（５）〜（１１）のいずれかに記載の記憶装置。
（１３）
前記接続情報は、前記通信制御判断装置が具備する共存プロファイルを含む、前記（５）〜（１２）のいずれかに記載の記憶装置。
（１４）
前記接続情報は、前記通信制御判断装置が提供可能な共存サービスに係る情報を含む、前記（５）〜（１３）のいずれかにに記載の記憶装置。
（１５）
複数の無線システム間の共存を制御する通信制御判断装置であって、
前記無線システムを利用する通信装置との間で情報を仲介する通信制御装置が前記通信制御判断装置に接続するための接続情報を、複数の前記無線システムの情報を管理するサーバ装置へ登録または更新し、記憶装置からの要求に応じて前記接続情報を前記記憶装置に提供する制御部を備える、通信制御判断装置。
（１６）
前記制御部は、前記接続情報に加えて接続優先度を前記記憶装置に提供する、前記（１５）に記載の通信制御判断装置。
（１７）
前記接続情報は、自装置のＩＰアドレスを少なくとも含む、前記（１５）または（１６）に記載の記憶装置。
（１８）
前記接続情報は、自装置が具備する共存プロファイルを含む、前記（１５）〜（１７）のいずれかにに記載の記憶装置。
（１９）
前記接続情報は、自装置が提供可能な共存サービスに係る情報を含む、前記（１５）〜（１８）のいずれかにに記載の記憶装置。
（２０）
複数の無線システムの情報を管理するサーバ装置であって、
前記無線システムを利用する通信装置との間で情報を仲介する通信制御装置が、複数の前記無線システムの共存を制御する通信制御判断装置に接続するための接続情報を、前記通信制御判断装置から取得し、記憶装置からの要求に応じて前記接続情報を前記記憶装置に提供する制御部を備える、サーバ装置。
（２１）
複数の無線システム間の共存を制御する通信制御判断装置へ接続するための接続情報を保持する記憶装置に対して、前記接続情報の取得要求を送信することと、
前記記憶装置から前記接続情報を含んだ応答を取得することと、
前記記憶装置から受信した前記接続情報から少なくとも一つの基準によって通信制御判断装置を選択することと、
を含む、方法。
（２２）
複数の無線システム間の共存を制御する通信制御判断装置と、前記無線システムを利用する通信装置との間で情報を仲介する通信制御装置が前記通信制御判断装置に接続するための接続情報を取得することと、
前記通信制御判断装置へ接続するための接続情報を保持することと、
前記通信制御装置の地理的情報及びネットワーク情報に基づいて接続が推奨される通信制御判断装置への接続情報を生成することと、
を含む、方法。
（２３）
複数の無線システム間の共存を制御する際に、前記無線システムを利用する通信装置との間で情報を仲介する通信制御装置が前記通信制御判断装置に接続するための接続情報を、複数の前記無線システムの情報を管理するサーバ装置へ登録または更新し、記憶装置からの要求に応じて前記接続情報を前記記憶装置に提供することを含む、方法。
（２４）
複数の無線システムの情報を管理する際に、前記無線システムを利用する通信装置との間で情報を仲介する通信制御装置が、複数の前記無線システムの共存を制御する通信制御判断装置に接続するための接続情報を、前記通信制御判断装置から取得し、記憶装置からの要求に応じて前記接続情報を前記記憶装置に提供することを含む、方法。
（２５）
コンピュータに、
複数の無線システム間の共存を制御する通信制御判断装置へ接続するための接続情報を保持する記憶装置に対して、前記接続情報の取得要求を送信することと、
前記記憶装置から前記接続情報を含んだ応答を取得することと、
前記記憶装置から受信した前記接続情報から少なくとも一つの基準によって通信制御判断装置を選択することと、
を実行させる、コンピュータプログラム。
（２６）
コンピュータに、
複数の無線システム間の共存を制御する通信制御判断装置と、前記無線システムを利用する通信装置との間で情報を仲介する通信制御装置が前記通信制御判断装置に接続するための接続情報を取得することと、
前記通信制御判断装置へ接続するための接続情報を保持することと、
前記通信制御装置の地理的情報及びネットワーク情報に基づいて接続が推奨される通信制御判断装置への接続情報を生成することと、
を実行させる、コンピュータプログラム。
（２７）
コンピュータに、複数の無線システム間の共存を制御する際に、前記無線システムを利用する通信装置との間で情報を仲介する通信制御装置が前記通信制御判断装置に接続するための接続情報を、複数の前記無線システムの情報を管理するサーバ装置へ登録または更新し、記憶装置からの要求に応じて前記接続情報を前記記憶装置に提供することを実行させる、コンピュータプログラム。
（２８）
コンピュータに、複数の無線システムの情報を管理する際に、前記無線システムを利用する通信装置との間で情報を仲介する通信制御装置が、複数の前記無線システムの共存を制御する通信制御判断装置に接続するための接続情報を、前記通信制御判断装置から取得し、記憶装置からの要求に応じて前記接続情報を前記記憶装置に提供することを実行させる、コンピュータプログラム。
【符号の説明】
【０１１３】
１００、２００、３００、４００    装置
【図１】
2017043264.tif 000004
【図２】
2017043264.tif 000005
【図３】
2017043264.tif 000006
【図４Ａ】
2017043264.tif 000007
【図４Ｂ】
2017043264.tif 000008
【図４Ｃ】
2017043264.tif 000009
【図４Ｄ】
2017043264.tif 000010
【図５】
2017043264.tif 000011
【図６】
2017043264.tif 000012
【図７】
2017043264.tif 000013
【図８】
2017043264.tif 000014
【図９】
2017043264.tif 000015
【図１０】
2017043264.tif 000016
【図１１】
2017043264.tif 000017
【図１２】
2017043264.tif 000018
【図１３】
2017043264.tif 000019
【国際調査報告】
2017043264.tif 000020
2017043264.tif 000021
2017043264.tif 000022
2017043264.tif 000023